Podtech/llm-jp-corpus-v4-ja_patent huggingface dataset:
(57)【要約】      （修正有）【課題】特にお年寄りや幼児にとっての密着による開封の困難を解消する、チャック付袋を提供する。【解決手段】本袋は密着を解消して開封を容易にした。密閉チャック部２の上部に凹凸を設ける事により、凹凸部をハサミで切断すれば空間が出来て密着が解消出来る。【選択図】図１
0003158230.tif 000002
【実用新案登録請求の範囲】
【請求項１】
本考案は、密閉袋のチャック部の上方に凹凸を設ける。
【考案の詳細な説明】
【技術分野】
【０００１】ポリ密閉袋のチャック部の上部に凹凸を設ける。
【背景技術】
【０００２】従来は、ハサミでチャックの上部を切って開封をする際に密着して困難した。
【考案の開示】
【考案が解決しようとする課題】
【０００３】密着して、開封の困難を解消しようとするものである。
【課題を解決するための手段】
【０００４】袋の内側に向かって凸を設ける。
【考案の効果】
【０００５】凹凸があるので空間が出来て開封を容易にする。
【実施例】
【０００６】密閉チャック部の上部に凹凸を設ける事により、凹凸部をハサミで切断すれば空間が出来て密着が解消出来る。
【図面の簡単な説明】
【０００７】
【図１】密閉ポリ袋の平面図である。
【符号の説明】
【０００８】１，バリヤフリーでこぼこライン
２，密閉チャック部
３，ポリ袋本体
【図１】
0003158230.tif 000003
【手続補正書】
【提出日】平成22年1月6日(2010.1.6)
【手続補正１】
【補正対象書類名】実用新案登録請求の範囲
【補正対象項目名】全文
【補正方法】変更
【補正の内容】
【実用新案登録請求の範囲】
【請求項１】
密閉袋のチャック部の上方に、袋の内面が凸になるように凹凸を設けたチャック付密閉袋。
【手続補正２】
【補正対象書類名】明細書
【補正対象項目名】全文
【補正方法】変更
【補正の内容】
【考案の詳細な説明】
【技術分野】
【０００１】密閉袋のチャック部の上部に凹凸を設ける。
【背景技術】
【０００２】従来は、ハサミでチャックの上部を切って開封をする際に密着して困難した。
【考案の開示】
【考案が解決しようとする課題】
【０００３】開封の困難を解消しようとするものである。
【課題を解決するための手段】
【０００４】袋の内側に向かって凸を設ける。
【考案の効果】
【０００５】凹凸があるので空間が出来て開封を容易にする。
【実施例】
【０００６】密閉チャック部の上部に凹凸を設ける事により、凹凸部をハサミで切断すれば空間が出来て密着が解消出来る。
【図面の簡単な説明】
【０００７】
【図１】密閉袋の平図面である。
【符号の説明】
【０００８】１．バリヤフリーでこぼこライン
２．密閉チャック部
３．密閉袋本体
(57)【要約】      （修正有）【課題】小さな段差やマットの端部などに躓き転倒する危険性を軽減するスリッパを提供する。【解決手段】スリッパの先端で底部を上向きに曲げる。【選択図】図−２
0003158239.tif 000002
【実用新案登録請求の範囲】
【請求項１】
先端で底部が、約１８０度上方に、弧を描いた構造を持つスリッパ。
【考案の詳細な説明】
【技術分野】
【０００１】  本考案は、先端を上向きに曲げたスリッパに関するものである。
【背景技術】
【０００２】  通常スリッパの先端は、上向きに曲げられてなく、床面と平行になっている。
【考案の開示】
【考案が解決しょうとする課題】
【０００３】  スリッパは、家庭や病院、旅館、その他、多方面で広く使用されているが、現在市販されているスリッパの先端は、上向きに曲げられていないため、小さな段差やマットなどに躓き、転倒する危険性があった。
【課題を解決するための手段】
【０００４】  この様な不具合をなくすため本考案は、図−１、図−２、のイ、に示す様にスリッパの底部先端を上向きに曲げた構造になっている。
【考案の効果】
【０００５】  図−２に示すように、スリッパの先端を上向きに曲げることにより，歩行時の障害となる小さな段差や、敷物などの端部をスキーのように乗り上げて進むことが出来る様になり、躓きが低減できる。
【考案を実施するための最良の形態】
【０００６】  図−１，２，に示すスリッパ先端の上向き曲がり部、イ、は、段差などを乗り上げて進むため、スリッパ底部より、靭性、剛性に優れた素材で構成されている。【０００７】  図−１，２，に示すスリッパ先端の上向き曲がり部、イ、は、曲がり量が少ないと、階段の段鼻などに引っ掛かる恐れが生じるため、曲がり量は、水平面に対して１８０度に近い弧を持ち、スリッパ先端部をカバーしている。
【図面の簡単な説明】
【０００８】図−１は、本考案に係わるスリッパの平面図である。
図−２は、本考案に係わるスリッパの側面図である。
【符号の説明】
【０００９】イは、スリッパ先端の上向き曲がり部である。
ロは、スリッパの底部である。
0003158239.tif 000003
【手続補正書】
【提出日】平成22年1月21日(2010.1.21)
【手続補正１】
【補正対象書類名】明細書
【補正対象項目名】０００８
【補正方法】変更
【補正の内容】
【０００８】
【図−１】は、本考案に係わるスリッパの平面図である。
【図−２】は、本考案に係わるスリッパの側面図である。
【手続補正２】
【補正対象書類名】図面
【補正対象項目名】全図
【補正方法】変更
【補正の内容】
【図−１】
0003158239.tif 000004
【図−２】
0003158239.tif 000005
(57)【要約】      （修正有）【課題】ナベ類に付着した焦げ、取りにくい付着物の除去を家庭内で簡単にできるように、一定の角度に刃先を保ちながら、往復で無理なく付着物を除去できる構造の器具を提供する。【解決手段】ナベ底の内側、外側用として茶碗を伏せた形状の除去具と、ナベの内周と外周の汚れ除去具の2種を用意する。ナベ底の内側外側用は円形の刃物状で、ナベの内周と外周用は円筒形のパイプを縦に二分割した形状のもので、その切断面のところに刃１を互いに反対方向に取り付ける。それぞれの除去具には、ナベ類の削り取る面に刃先１が、均等に接触するようにその中心に自在の取手２を付けて、除去具の操作を容易にする。除去具の刃は円形と平行で反対方向に向いたものであり、いづれも削りとるときナベの面に対し同じ角度を保つことができる。【選択図】図２
0003158238.tif 000002
【実用新案登録請求の範囲】
【請求項１】
食器のワンを伏せた形状の金属製の刃物で図2のように周囲が刃先になつている、ナベ底の内側と外側に使用する除去具。
【請求項２】
円筒を縦に二つ割りにして伏せた形状のもの図4，割った部分を刃物にした除去具。
ナベの内周、外周の曲面用。
【考案の詳細な説明】
【技術分野】
【０００１】
本考案は調理用ナベ類の汚れ除去具に関するものである。
【背景技術】
【０００２】
汚れなど付着しにくいナベ類もあるが、加熱で焦げ付く場合もある。ステンレス、アルミ，ホーロナベでも過熱で焦がすことがある。焦げ付いた場合適当な除去が難しい場合がある。早期使い捨ても、不経済である。
【０００３】
この改善策として機械的に削り取る道具を使用することで除去時間を短くする。ナベの内側と外側の汚れを取ることで熱伝導をよくし、ナベを効率よく長く使用できる。
【考案の概要】
【考案が解決しようとする課題】
【０００４】
解決しようとする課題は、ナベ類の底面に固く焦げ付いた、付着物を容易に除去できることである。
【課題を解決するための手段】
【０００５】
本考案はナベ底の内側、外側用として茶碗を伏せた形状の除去具と、ナベの内周と外周の汚れ除去具の2種を用意した。ナベ底の内側外側用は円形の刃物状で、ナベの内周と外周用は円筒形のパイプを縦に二分割した形状のもので、その切断面のところに刃を互いに反対方向に取り付けてある。それぞれの除去具には取ってガ付けてあり除去具の操作を容易にしている。除去具の刃は円形と平行で反対方向に向いたものであり、いづれも削りとるときナベの面に対し同じ角度を保つことができる。
【考案の効果】
【０００６】
本考案のナベ類の付着物を、刃物状の器具で削り取るのでナベ本体を傷つけずに無理なく容易に除去できる。
【図面の簡単な説明】
【０００７】
【図１】ナベ底の内面および外面の汚れ除去具  平面図
【図２】ナベ底の内面および外面の汚れ除去具  側面図
【図３】ナベの外周および内周の汚れ除去具  平面図
【図４】ナベの外周および内周の汚れ除去具  側面図
【考案を実施するための形態】
【０００８】
ナベ類の削り取る面に刃先が、均等に接触するように除去具本体の中心に自在の取手を付け、削り取る作業を容易にする。
【実施例１】
【０００９】
図２は本考案の実施例の側面図であつて、ナベ類の外側、内側の平面部分に使用しているれいである。
【実施例２】
【００１０】
図４は本考案のナベ類の内周用と外周用の側面図である。
【産業上の利用可能性】
【００１１】
サイズを変えたり刃の材質を削る物に適合させれば、電気溶接時発生するスパツタの除去、床、タイルなどの異物除去に使用できる。
【符号の説明】
【００１２】
１  刃先
２  取手
３  空気穴
４  本体
【図１】
0003158238.tif 000003
【図２】
0003158238.tif 000004
【図３】
0003158238.tif 000005
【図４】
0003158238.tif 000006
【手続補正書】
【提出日】平成22年1月19日(2010.1.19)
【手続補正１】
【補正対象書類名】実用新案登録請求の範囲
【補正対象項目名】請求項１
【補正方法】変更
【補正の内容】
【請求項１】
食器の碗を伏せた形状の金属製の刃物であって、当該碗の周囲が刃先になっている、ナベ底の内側と外側に使用する汚れ除去具。
【手続補正２】
【補正対象書類名】実用新案登録請求の範囲
【補正対象項目名】請求項２
【補正方法】変更
【補正の内容】
【請求項２】
薄肉のパイプを縦割にした形状で、割った部分が金属製の刃物であって、ナベの内周外周の汚れ除去具。
(57)【要約】      （修正有）【課題】国際空港免税エリアにおいて、航空機乗り継ぎ旅客に対して、乗り継ぎ航空機内に持込可能な酒類商品を製作し国際規約及び国土交通省の指導に則った販売可能な酒類のキットを提供する。【解決手段】酒類を今までに無い新規１００ｍｌ瓶に詰めて、再封可能な透明な容量１Ｌ以内の航空機乗り継ぎの際でも持込可能であることが容易に判断できるオリジナルシールを貼付したジッパー付きプラスチック製袋に入れる。【選択図】図３
0003158212.tif 000002
【実用新案登録請求の範囲】
【請求項１】
酒類を今までに無い新規の１００ｍｌ以下の瓶に入れ再封可能な透明な容量１Ｌ以内の航空機乗り継ぎの際でも持込可能であることが容易に判断できるオリジナルシールを貼付したジッパー付きプラスチック製袋に入れて販売する酒類キット。
【考案の詳細な説明】
【考案の詳細な説明】
【考案が解決しようとする課題】
【０００１】  国際空港の免税エリアにおいて、日本の国酒である日本酒や焼酎等はおみやげ品として人気のある商品であった。しかし平成１９年３月１日以降テロ防止の為、国際民間航空機関（ＩＣＡＯ）の定めるガイドラインにより、航空機乗り継ぎのある旅客は同エリアでの液体物購入は原則できなくなり、旅客及び免税店、メーカーに不利益が生じていた。
【課題を解決するための手段】
【０００２】  上記問題点を解決する為に、酒類を今までに無い新規の１００ｍｌの瓶に詰めて、再封可能な透明な容量１Ｌ以内の航空機乗り継ぎの際でも持込可能であることが容易に判断できるオリジナルシールを貼付したジッパー付きプラスチック製袋に入れて新規１００ｍｌ製品３本キットを製作し国際規約（※１）及び国土交通省の指導（※２）に則り販売できるようにした。
（※１）液体物航空機内持込に係るガイドライン（平成１８年１２月７国際民間航空機関（ＩＣＡＯ）制定）
（※２）国土交通省航空局監理部航空安全推進課（平成２１年８月１９日確認）
【考案の効果】
【０００３】  航空機乗り継ぎのある旅客に対しても酒類の販売ができるようになった為、旅客の利便性の向上、及び免税店、メーカーの売上向上につながる。
【図面の簡単な説明】
【図１】新規１００ｍｌ瓶に入れた酒類３本である
【図２】再封可能な透明な容量１Ｌ以内の航空機乗り継ぎの際でも持込可能であることが容易に判断できるオリジナルシールを貼付したジッパー付きプラスチック製袋である
【図３】新規１００ｍｌ瓶３本の酒類を入れ航空機乗り継ぎの際でも持込可能であることが容易に判断できるオリジナルシールを貼付したジッパー付きプラスチック製袋キットである。
0003158212.tif 000003
【手続補正書】
【提出日】平成21年12月21日(2009.12.21)
【手続補正１】
【補正対象書類名】図面
【補正対象項目名】全図
【補正方法】変更
【補正の内容】
【図１】
0003158212.tif 000004
【図２】
0003158212.tif 000005
【図３】
0003158212.tif 000006
【手続補正２】
【補正対象書類名】実用新案登録請求の範囲
【補正対象項目名】全文
【補正方法】変更
【補正の内容】
【実用新案登録請求の範囲】
【請求項１】
酒類を１００ｍｌ以下の瓶に入れ，その瓶を再封可能で透明な容量１Ｌ以内のジッパー付プラステック製袋に入れ、そのジッパー付プラステック製袋に航空機乗り継ぎの際でも持ち込み可能である事を表示したシールを添付した事を特長とする酒類キット。
(57)【要約】      （修正有）【課題】流線形立体物の制作を可能にするミニチュア組立キットを提供する。【解決手段】ソフトな素材に切り込みを入れてはめ込み式にする。【選択図】図１
0003158218.tif 000002
【実用新案登録請求の範囲】
【請求項１】
素材の特性上流線形な立体物が可能になりパーツの組立はハメ込みで行うことができる、ソフト素材を使用したミニュチュア組立キット。
【考案の詳細な説明】
【技術分野】
【０００１】本考案はソフト素材を使用したプラモデル感覚で作れるミニュチュア組み立てキットに関するものである
【背景技術】
【０００２】固い素材の場合折り曲げたり、流線形にすることが困難であるうえ、材料と材料をつなぎ合わせる場合接着剤を使用する場合がある
【考案の概要】
【考案が解決しようとする課題】
【０００３】解決しようとする問題点は、手作りが可能な素材の選択と、設計に可能な手段である
【考案を解決するための手段】
【０００４】ソフトな素材（シリコン等）を使用することにより流線形を可能にし、すべてハメ込式になっているので接着剤を使用することがなく環境にも適している
【実施例】
【０００５】  以下、添付図に従って実施例を説明する。
［図１］は、シリコンゴム等で作った組立前キット
［図１］からパーツ［図２］［図３］［図４］［図５］［図６］［図７］［図８］［図９］［図１０］［図１１］［図１２］［図１３］［図１４］を切り
［３−１］を内側から［４−２］と［１１−１］に差し込む
［３−４］を内側から［４−６］と［１０−１］に差し込む
［３−２］を内側から［４−３］と［６−１］に差し込む
［３−５］を内側から［４−７］と［７−１］に差し込む
［３−３］を内側から［４−４］と［８−１］に差し込む
［３−６］を内側から［４−８］と［９−１］に差し込む
［２］を［４−１］と［４−５］に差し込み中央に合わせる
［５］を［４−２］と［４−３］（［４−６］と［４−７］）の間に巻きつけ、［５−１］に［５−２］を差し込む
【図面の簡単な説明】
【０００６】
【図１】本考案の組み立て前の全体図
【図２】本考案の骨部分の図
【図３】本考案の腹部分の図
【図４】本考案の胴体部分の図
【図５】本考案の首輪の図
【図６】本考案の左前足部分の図
【図７】本考案の右前足部分の図
【図８】本考案の左後足部分の図
【図９】本考案の右後足部分の図
【図１０】本考案の右耳部分の図
【図１１】本考案の左耳部分の図
【図１２】本考案の組み立て後の側面図
【図１３】本考案の組み立て後の前面図
【図１４】本考案の組み立て後の上面図
【図１】
0003158218.tif 000003
【図２】
0003158218.tif 000004
【図３】
0003158218.tif 000005
【図４】
0003158218.tif 000006
【図５】
0003158218.tif 000007
【図６】
0003158218.tif 000008
【図７】
0003158218.tif 000009
【図８】
0003158218.tif 000010
【図９】
0003158218.tif 000011
【図１０】
0003158218.tif 000012
【図１１】
0003158218.tif 000013
【図１２】
0003158218.tif 000014
【図１３】
0003158218.tif 000015
【図１４】
0003158218.tif 000016
【手続補正書】
【提出日】平成21年12月22日(2009.12.22)
【手続補正１】
【補正対象書類名】実用新案登録請求の範囲
【補正対象項目名】全文
【補正方法】変更
【補正の内容】
【実用新案登録請求の範囲】
【請求項１】
ソフト素材を使用し、前記素材に切り込みを入れてはめ込み式にすることで、流線形立体物の制作を可能にしたことが特徴であるプラモデル感覚で作れるミニチュア組立キット。
(57)【要約】      （修正有）【課題】ワイシャツ本体の襟部及び袖部分に本体とは異なる素材（生地）を設け、汗による黄ばみを目立たなくさせ、また、着心地悪化を防止するワイシャツを提供する。【解決手段】ワイシャツ本体１の汚れ易い襟部と袖部分の内側に本体とは異なる色（場合によっては同色もあり得る）の異なる素材（生地）で且つ、撥水性の高い素材６を設けることにより、汗による黄ばみを目立たなくさせ、着心地悪化を防止するのに役立つ。【選択図】図１
0003158217.tif 000002
【実用新案登録請求の範囲】
【請求項１】
ワイシャツ本体の襟部及び袖部分に、本体と同色又は異色のどちらかを扱い異なる素材（生地）、且つ、撥水性の高い素材を設け、汗による黄ばみを目立たなくさせ、水分（汗）を体とワイシャツの生地の間で気化させる点を特徴とするワイシャツ。
【考案の詳細な説明】
【技術分野】
【０００１】  本考案は、襟部及び袖部分に本体とは異なる素材を設けた、ワイシャツに関するものである。
【背景技術】
【０００２】  ビジネスマンの通勤等において、特に夏場の季節に彼らの着用しているワイシャツの襟部及び袖部分は、汗による黄ばみが目立っており、着用者及び、それを見た者が不快な思いをしていた。しかし、ただ汗を吸い取ればよいという、現存する吸汗素材付きの吸汗性重視のシャツだと、その部分に水分（汗）が溜まり、逆に着心地が次第に悪化する傾向があり、新たな考案が必要であった。
【考案の概要】
【考案が解決しようとする課題】
【０００３】  ビジネスマンにとって、ワイシャツのクリーニングは、自分で洗濯をした場合、襟部や袖部分の汚れを取り除くために大変な手間がかかり、時間的、労働的負担である。店に委託すると、経済的負担も大きくなる。よって、本考案は、従来のワイシャツ等の襟部及び袖部分付きシャツの不具合を解消させることを解決すべき課題とする。
【課題を解決するための手段】
【０００４】  本考案は、前述した課題を解決するために、ワイシャツ等の襟台及びカフス部分に本体と異なる素材（生地）を用いることで、汗による黄ばみを目立たなくさせ、且つ、水分（汗）は体とワイシャツの生地の間で気化するという点に着目し、従来のように、吸汗素材ではない素材（生地）を用いることにより、問題を解決している。
【考案の効果】
【０００５】  上述の様に、本考案のワイシャツは、本体と異なる色（場合によっては同色もあり得る）の異なる素材（生地）且つ、撥水性の高い素材をワイシャツ本体に設けたことにより、黄ばみ防止はもちろん、従来の吸汗素材付きのシャツとは違い、襟部や袖部分に汗は溜まらないので着心地も上昇し、且つ、従来のクリーニングにかかるコストを大幅に削減でき、画期的な効果を生み出せる。
【図面の簡単な説明】
【０００６】
【図１】衣服襟部構造を示す正面図である。
【図２】襟台を含む襟部分の展開図である。
【図３】襟部分の展開図である。
【図４】衣装袖部構造を示す正面図である。
【図５】カフスを含む袖部分の展開図である。
【考案を実施するための形態】
【０００７】    ワイシャツ本体の襟台及びカフス部分に設けた、本体と異なるファッション性を向上させる色と素材（生地）。（ビジネスマンの出勤時等、個々のＴＰＯによっては本体と同色を扱うこともあり得る）且つ、撥水性の高い素材により、ワイシャツの襟部、及び袖部分は、汗を吸いにくくなる。よって、ワイシャツ着用時に体内から発生した水分（汗）は、ワイシャツと身体との間で気化するようになる。また、多汗時には、汗は下方に流れ、本来と同様にワイシャツ本体部分で吸湿する。
【実施例】
【０００８】    ワイシャツ１の襟台３及び袖カフス部分５の斜線部には、ワイシャツ本体と異なる色（場合によっては同色もあり得る）の異なる素材（生地）且つ、撥水性の高い素材６を装着し使用する。
【符号の説明】
【０００９】    １  ワイシャツ本体
２  衿
３  襟台
４  袖
５  カフス
６  斜線の部分には、ワイシャツ本体と異なる色（場合によっては同色もあり得る）        の異なる素材（生地）且つ、撥水性の高い素材である。
【図１】
0003158217.tif 000003
【図２】
0003158217.tif 000004
【図３】
0003158217.tif 000005
【図４】
0003158217.tif 000006
【図５】
0003158217.tif 000007
【手続補正書】
【提出日】平成21年12月22日(2009.12.22)
【手続補正１】
【補正対象書類名】実用新案登録請求の範囲
【補正対象項目名】請求項１
【補正方法】変更
【補正の内容】
【請求項１】
ワイシャツ本体の襟部及び袖部分に、本体と同色又は異色の、本体とは異なる撥水性の高い素材又は生地を設け、汗による黄ばみを目立たなくさせ、発汗する際に体内から放出する水分を体とワイシャツの生地の間で気化させる点を特徴とするワイシャツ。
(57)【要約】      （修正有）【課題】自転車の停車時でもＬＥＤライトが発光し続け、蓄電池の交換を不用とする自転車用照明器具を提供する。【解決手段】ペタル機構部に内設した歯車８を利用して発電機９の回転数を高めてＬＥＤライト３の発光を安定して保ち、併設した蓄電池１０にも充電する。【選択図】図２
0003158413.tif 000002
【実用新案登録請求の範囲】
【請求項１】
自転車のペダルの軸（５）に回転数増大の為の歯車（８）を取りつけ、この歯車を介して発電機（９）に連結し、発電された電気を蓄電池（１０）及びＬＥＤライト（３）に通電する様になされたことを特徴とする自転車用照明機具。
【考案の詳細な説明】
【技術分野】
【０００１】本考案は、自転車のペダルにＬＥＤライトを枢着して、発電機と蓄電池を併設したことにより、停車時に於てもＬＥＤライトが発光し続け、又蓄電池式の照明機具に必要な蓄電池の交換を不用としました。
【背景技術】
【０００２】自転車のペダルに発電機を組みこむ提案は［特開２００７−２４６０６３号］公報などにすでになされている。
【考案の概要】
【考案が解決しようとする課題】
【０００３】しかし、上記提案では、ペダルによる発電機の回転数が低くＬＥＤライトの発光に不十分で、しかも自転車のペダルは常に回転させなければＬＥＤライトが消光するという構造的問題があった。
【課題を解決する為の手段】
【０００４】本考案の自転車用照明機具は、自転車のペダルの軸５に回転数を高める為の歯車８を取付け、この歯車を介して発電機９の回転数を高め、発電された電気を蓄電池１０及びＬＥＤライト３に通電することにより自転車の停車時等に於ても発光を持続し夜間走行時の安全性向上を図り又走行中に蓄電池に充電出来る様になされていることを特徴とする。
【考案の効果】
【０００５】本考案は上記のような構成であるから、ＬＥＤライト３の発光に必要な電気を停車時にも安定して通電し発光するので、自転車の夜間走行時の安全性を確保することが出来る。
【図面の簡単な説明】
【０００６】
【図１】本考案の構成を示す説明図。
【図２】本考案の発電機構を示す部分の拡大図。
【実施例】
【０００７】添付図面に従って実施例を説明する。１は自転車のクランクシャフト、２はペダル、３はペダル前後に枢着したＬＥＤライト、４はペダル軸のベアリング、５はクランクシャフトに固定したペダル軸である、５のペダル軸終端面には２つのはめこみ穴５−１を設けた、６は耐久性のある防水ケースでありこの内側に図２で示す発電機構を納めた、７は回転軸でこの先端部に上記はめこみ穴５−１に対応するはめ込み突起５−２を設けている、尚この突起は昼間走行の照明不用の際は回転軸７の内部に収用出来るようにした、５−３はその為の切換レバーにて、９は発電機で、発電した電気は電線１１でＬＥＤライトと蓄電池に通電するよう並設してつないだ。本実施例では蓄電池１０として小型アルカリ電池３個を直列につないで用いた。【０００８】このようにしたことによりＬＥＤライト３の発光を安定して保つことができ更に蓄電池１０を発電機９につないだことで自転車の停車時等でも安定して発光を持続することにより夜間走行時の安全性向上が図られた。
【符号の説明】
【０００１】１          クランクシャフト
２          ペダル内側
３          ＬＥＤライト
４          ベアリング
５          ペダル軸
５−１      軸のはめこみ穴
５−２      はめこみ突起
５−３      発光、消灯切替レバー
６          ペダル外側
７          回転軸
８          歯車
９          発電機
１０        蓄電池
１１        電線
【図１】
0003158413.tif 000003
【図２】
0003158413.tif 000004
(57)【要約】      （修正有）【課題】バッテリーの質量が重い場合でも、バッテリーの可搬性を高め、女性や子供にも充電の際に移動が容易にできるバッテリーケースを提供する。【解決手段】バッテリーケースの側面下部に転がしながら移動するための車輪を設け、背面には楽な姿勢で移動するための持手を設ける。【選択図】図３
0003158491.tif 000002
【実用新案登録請求の範囲】
【請求項１】
車輪および持手を備えたことを特徴とするバッテリーケース
【考案の詳細な説明】
【技術分野】
【０００１】
この考案は、バッテリーにより電力が供給される各種電気機器に使用することが可能なバッテリーケースに関するものである。
【背景技術】
【０００２】
現在では、各種電気機器を電源のないところでも使用するためにバッテリーが多用されている。弱電力しか使用しないパソコンや音響機器においては、乾電池やリチウム電池が一般的である。しかしながら中程度以上の電力が必要とされる電気機器においては、リチウム電池や鉛蓄電池が一般的に用いられている。特にコスト面で有利な鉛蓄電池はより広く用いられている。
【特許文献１】出願番号平成21-219854号
【考案の開示】
【考案が解決しようとする課題】
【０００３】
ところが、コスト面で有利な鉛蓄電池も、質量がリチウム電池より格段に重く、特に女性や子供には、充電の際に取り外して移動させることが困難であった。そのため、バッテリー可搬性を高める目的で、バッテリーケースに改良を加えることが行われており、特許文献１では、バッテリーを二分割可能なバッテリーケースが提案されている。
【０００４】
この考案は、上記のような従来技術に存在する問題点に着目してなされたものである。その目的とするところは、質量が重い鉛蓄電池の可搬性を高め、女性や子供にも移動が容易なバッテリーケースを提供することにある。
【課題を解決するための手段】
【０００５】
上記の目的を達成するために、本考案のバッテリーケースは側面に車輪を、背面に持手を備えた構造とする。
【考案の効果】
【０００６】
本考案のバッテリーケースは、側面下部に移動用の車輪と、背面に移動用の持手を備えている。従って、質量が重い鉛蓄電池でも、本考案のように車輪を回転させて移動することにより、取扱が容易になる。
【考案を実施するための最良の形態】
【０００７】
以下にこの考案を具体化した一実施形態に基づいて詳細に説明する。
【実施例１】
【０００８】
図１および図２に示される本考案のバッテリーケース内には、６個の単位鉛蓄電池のそれぞれが直列接続されたユニット４つがあり、内部で直列接続されている。
バッテリーケースの側面下部には、回転可能な車輪があり、これを転がしながら移動させることができる。
さらに背面には、移動用の持手があり、この部分を持つことで楽な姿勢で移動することができる。
【０００９】
本実施例の持手上部および持手下部はいずれも金属パイプ製であって、持手端部固定具によりバッテリーケースと接合されている。持手上部のパイプ外形よりも持手下部のパイプ内径の方が若干大きいので、不使用時には持手上部を縮めて持手下部内に収納することができる。また、使用者の体格に合わせて中間程度の伸縮を選択した場合であっても、公知の技術を利用して伸縮を一時的に固定することができる。
【００１０】
本考案は、本実施例に限定されることなく、以下のようにように変更することもできる。
・収納時に比べて持手が二倍以上長く伸ばせるように、三段以上の伸縮が可能に変更すること。
・持手および持手端部固定具を、バッテリーケース内に収納できるようにすること。
・バッテリーケースの頂部に持手を回転支持するための支点を設け、バッテリーケースに沿った形状に収納されている持手を、上方に１８０度回転させることで伸張ができるようにすること。
・段差を乗り越え易くするために、タイヤの直径をバッテリーケースの奥行きの１．０５倍から１．５倍の範囲とすること。
【産業上の利用可能性】
【００１１】
質量が重い鉛蓄電池の可搬性を高め、女性や子供にも移動が容易なバッテリーケースを提供することができる。
【図面の簡単な説明】
【００１２】
【図１】本考案のバッテリーケースの持手を伸ばした状態の背面図
【図２】本考案のバッテリーケースの持手を伸ばした状態の側面図
【図３】本考案のバッテリーケースの持手を伸ばした状態の参考斜視図
【符号の説明】
【００１３】
１      持手上部および持手下部
２      バッテリーケース
３      車輪
４      持手端部固定具
【図１】
0003158491.tif 000003
【図２】
0003158491.tif 000004
【図３】
0003158491.tif 000005
(57)【要約】      （修正有）【課題】糸通しが楽に行えると共に、手縫い時においてもスムーズに縫うことができる手縫い針を提供する。【解決手段】捩った線材の後端に、糸を通す輪部を設けると共に、先端に尖端部を形設してなる。線材は、バネ力のあるステンレス鋼であり、線材の径は、Φ０．２ｍｍ〜Φ０．４ｍｍとする。【選択図】図１
0003158441.tif 000002
【実用新案登録請求の範囲】
【請求項１】
捩った線材の後端に、糸を通す輪部を設けると共に、先端に尖端部を形設してなることを特徴とする手縫い針。
【請求項２】
線材が、バネ力のあるステンレス鋼であることを特徴とする請求項１記載の手縫い針。
【請求項３】
線材の径を、Φ０．２ｍｍからΦ０．４ｍｍとすることを特徴とする請求項１又は２記載の手縫い針。
【請求項４】
輪部内寸を、１ｍｍ以上とし、菱形状に形設してなることを特徴とする請求項１、２又は３記載の手縫い針。
【請求項５】
左右対称に捩った線材であることを特徴とする請求項１、２、３又は４記載の手縫い針。
【考案の詳細な説明】
【技術分野】
【０００１】  本考案は、簡単に糸を通すことができると共に、手縫いも容易に出来る手縫い針に関するものである。
【背景技術】
【０００２】  従来の技術として、手縫い針における針穴の側方に、糸通し用のガイド孔が形成されていることを特徴とする手縫い針がある。（特許文献１参照）
【先行技術文献】
【特許文献】
【０００３】
【特許文献１】特開２００６−１０２２３１号公報
【考案の概要】
【考案が解決しようとする課題】
【０００４】  上記従来の技術は、針穴への糸通し作業が簡便とのことですが、針穴自体穴が小さい為、糸通し具の先端を針穴に通す事自体も難しい。また、針穴が変形するものではないため、手縫い時においても、なかなか簡便には行かないものである。【０００５】  本考案は、上記の問題点を解決するもので、輪部が変形することにより、糸通しが楽に行えると共に、手縫い時においてもスムーズに縫うことができる手縫い針を提供することを目的とするものである。
【課題を解決するための手段】
【０００６】  本考案は、上記目的を達成するため、よじった線材の後端に、糸を通す輪部を設けると共に、先端に尖端部を形設してなること。線材が、バネ力のあるステンレス鋼であること。線材の径を、Φ０．２ｍｍからΦ０．４ｍｍとすること。輪部（菱形状）内寸を、１ｍｍ以上とすること。左右対称に捩った線材であることを特徴とする。
【考案の効果】
【０００７】１）、捩った線材の後端に輪部を、先端に尖端を形設することにより、フレキシブルに手縫いが出来る。
２）、線材を、バネ力のあるステンレス鋼とすることにより、輪部を変形させることができ、糸通しや手縫い作業が楽に行えるものである。
３）、線材内径をΦ０．２ｍｍからΦ０．４ｍｍとすることにより、用途に合わせた細い手縫い針を提供することができる。
４）、輪部（菱形状）内径を、１ｍｍ以上とすることにより、輪部を指で押えて変形（広げる）ができ、１ｍｍ以上の径の糸を通すことができるため、多目的に使用できる。
５）、左右対称に捩った線材により、腰が強く、縫い易い。
【図面の簡単な説明】
【０００８】
【図１】  本考案の手縫い針の正面図。
【図２】  本考案の手縫い針の尖端部の拡大図。
【図３】  本考案の手縫い針の。
【考案の実施するための形態】
【０００９】  手縫い針１は、ステンレス鋼等による線材Ｓ（Φ０．２ｍｍからΦ０．４ｍｍが望ましい）を半分に折り曲げ、折り曲げた部分を輪部（菱形状が望ましい）２とし、先端に向かって捩り（左右対称に捩ることが望ましい）、先端を錫ハンダＳＨにて固着させ、削ることにより尖端部３を形設してなる。
なお、輪部内寸２ａを１ｍｍ以上が望ましい。
【００１０】  上記の手縫い針１の使用する場合、まず、糸（図示せず）を輪部２内に挿入する時、輪部２を掴んで輪部内寸２ａを広げることにより素人の方でも糸を入れやすくなる。
また、手縫いする時、輪部２が変形（縮む）ことにより、移動し易いため、作業効率もよくなる。
【００１１】  なお、手縫い針の長さ等は必要に応じて決めればよい。
また、尖端部の加工方法は、特に限定するものではない。
【符号の説明】
【００１２】１−−−手縫い針
２−−−輪部
２ａ−−輪部内寸
３−−−尖端部
Ｓ−−−線材
【図１】
0003158441.tif 000003
【図２】
0003158441.tif 000004
【図３】
0003158441.tif 000005
(57)【要約】      （修正有）【課題】簡単に取りつけ、取りはずしのできる画びようを提供する。【解決手段】一般の画びように較べ文書をかべにはる時とはずす時、容易にできる様に画びようの針の長さを短くし針を複数本にしている。上記のように本画びようは複数本の針と針の長さが短くなっていることにより手に負担をかけることが少なくなるものである。【選択図】図１
0003158422.tif 000002
【実用新案登録請求の範囲】
【請求項１】
針が複数本ついた画びよう。
【請求項２】
複数本の針の長さが３ｍｍ位の画びよう。
【考案の詳細な説明】
【技術分野】
【０００１】本考案は画びように関するものである。
【背景技術】
【０００２】文書等をかべにはる場合画びようを用いる場合．画びようをつける時とはずす時に手に負担がかかる場合があった。
【考案の概要】
【考案が解決しようとする課題】
【０００３】文書等をかべにはる場合手に負担がかかる場合があったため手に負担をかけずにかんたんに取りつけ．取りはずしのできる画びようを提案するものである。
【課題を解決するための手段】
【０００４】本考案は一般の画びように較べ文書をかべにはる時とはずす時手に負担がかからない様に画びようの針の長さを短くし針を複数本にすることにより問題点を解決している。
【考案の効果】
【０００５】上記のように本考案の画びようは文書をかべにはる時とはずす時に複数本の針と針の長さが短くなっていることにより手に負担をかけることが少なくなるものである。
【図面の簡単な説明】
【０００６】
【図１】本考案の画びようの図面
【考案を実施するための形態】
【０００７】画びよう本体に針の長さが３ｍｍ位の針を複数本つけた画びよう。
【符号の説明】
【０００８】Ａ    画びよう本体
Ｂ    針
Ｃ    針の長さ
【図１】
0003158422.tif 000003
(57)【要約】      （修正有）【課題】口腔内撮影用ミラーを滅菌袋に入れ高圧蒸気滅菌時の鏡面への布の織り目の焼付きや汚れの付着防止をし、使用前の磨き作業を省略することができる汚れ防止滅菌袋を提供する。【解決手段】布１と不織布２を重ねて内面が不織布２になるよう端を縫い、巾着袋状にする。開口部より口腔内撮影用ミラーを挿入し、紐を引き閉じる。この状態で高圧蒸気滅菌処理する。袋内面が不織布のため高圧蒸気による鏡面への布の織り目の焼付きや汚れの付着がなく、保管できる。また、口腔内撮影用ミラーの使用前の鏡面磨きの作業を省略でき、施術者の負担を軽減できる。【選択図】図１
0003158404.tif 000002
【実用新案登録請求の範囲】
【請求項１】
口腔内撮影用ミラーの滅菌保管袋の内側を不織布にし、高圧蒸気滅菌時、鏡面への布の織り目の焼付きと汚れを防止の特徴がある口腔内撮影用ミラー滅菌保管用包装袋。
【考案の詳細な説明】
【技術分野】
【０００１】本考案は、口腔内撮影用ミラーなどの医療用器具を滅菌及び保存するための包装袋に関するものである。
【背景技術】
【０００２】一般的に口腔内撮影用ミラーなどの医療用器具は市販の滅菌袋に入れ、高圧蒸気で滅菌、保管されている。使用するときに滅菌袋から取り出し、汚れ、水滴などをふきとってから使用している。
【先行技術文献】
【特許文献】
【０００３】
【特許文献１】特開平７−１７２４６８
【特許文献２】特開平７−２１５３６９
【特許文献３】実開平７−４０５４４
【考案の概要】
【考案が解決しようとする課題】
【０００４】これらの器具類を長期間、頻繁に滅菌していると特に鏡面に袋の布の縫い目等袋内面の形状の一部が焼付いて使用に影響が出ることがあるが、本考案はこのような問題を解決する。
【課題を解決するための手段】
【０００５】布に不織布を重ね、内面に不織布が位置するように縁を縫い開口部に紐を通し巾着袋状にする。本考案において、この不織布は高密度ポリエチレン連続性極細長繊維から作製されている。
【考案の効果】
【０００６】袋の外側を布、内側を不織布にすることにより、鏡面に布の織り目が焼付きや汚れが残ることは無くなった。
【図面の簡単な説明】
【０００７】
【図１】本考案の口腔内撮影用ミラー滅菌保管袋の全体図である。
【図２】本滅菌保管袋の一部断面図である。
【考案を実施するための形態】
【０００８】布に不織布を重ね、内側が不織布になるように端を縫い、開口部に紐を通し巾着袋状にする。
【実施例】
【０００９】添付図面にしたがい説明する。布１と不織布２を重ねて内面が不織布２になるよう端を縫い、巾着袋状にする。開口部より口腔内撮影用ミラーを挿入し、紐を引き閉じる。
この状態で高圧蒸気滅菌処理する。【００１０】袋内面が不織布のため高圧蒸気による鏡面への布の織り目の焼付きや汚れの付着がなく、保管できる。また、口腔内撮影用ミラーの使用前の鏡面磨きの作業を省略でき、施術者の負担を軽減できる。
【産業上の利用可能性】
【００１１】本考案は、口腔内撮影用ミラーなどの医療用器具を滅菌及び保存するための包装袋に利用できる。
【符号の説明】
【００１２】１  布
２  不織布
【図１】
0003158404.tif 000003
【図２】
0003158404.tif 000004
(57)【要約】      （修正有）【課題】ガーゼとタオルを使用し、それらの固定構造を工夫することで、乳児期には大人の腕にはめることで、乳児と大人の汗を吸い取り、幼児期には背中の汗取りパットとして使用できる汗取りパットを提供する。【解決手段】授乳時には輪１にガーゼ２とタオル３を装着して使用。幼児期には輪１にガーゼ２かタオル３どちらかを装着し、幼児の背中と服の間に入れ輪１を服の外に出しておく。交換したい時には輪１を引っ張り取り出して交換する。上記の構成により、乳児期と幼児期と長期に亘って、該汗取りパットを使用できるようになる。【選択図】図１
0003158403.tif 000002
【実用新案登録請求の範囲】
【請求項１】
ゴムの入った輪にスナップを付けたガーゼとタオルをつけて授乳時には大人の腕にはめ固定でき、乳児と大人の両方の汗を吸い取る。幼児期にはガーゼかタオルどちらか一枚にし、幼児の背中と服の間に入れ輪を服の外に出しておく。汗をかいたら輪を引っ張り取り出す。二つの用途が可能な汗取りパット。
【考案の詳細な説明】
【技術分野】
【０００１】
本考案は、乳児の授乳時に汗を吸い取る。幼児期には幼児の背面の汗を吸い取る二方式をこなす汗取りパットに関するものである。
【背景技術】
【０００２】
授乳中に乳児と大人の腕の間にたまる汗を吸い取るためタオルなどを使用するが、動くとすぐにずれてしまう。
【０００３】
幼児期の背面の汗取りパットは取り外しが困難。
【先行技術文献】
【特許文献】
【０００４】
【特許文献１】実開平０７−００１００２号公報
【考案の概要】
【考案が解決しようとする課題】
【０００５】
乳児は授乳中にかなりの汗をかくため、乳児の頭が当たる部分にタオルなどを当てるが、ずれやすいので大人の動きが制限される。今までの背中の汗取りパットは洋服の中でよれやすかったので取り出しにくかった。
【課題を解決するための手段】
【０００６】
授乳中は腕にタオルを置いてもずれてしまうが、固定できるのでずれない。固定する輪には長さを調整できるゴムが入っているので誰でも使用できる。又、授乳期間が終わっても背中の汗取りパットとして使用できる。輪の部分を外に出しているため取り出すときも輪を引っ張れば簡単に取り外せる。
【考案の効果】
【０００７】
成長したときも使用でき、短期間しか使用できないものをふたつも購入しないですむ。ガーゼとタオルの二枚にしたので汚れた時一枚でも対応できる。外出するときにはまるめて輪で縛れば収納しやすい。
【図面の簡単な説明】
【０００８】
【図１】本考案の実用例を示す正面図である。
【図２】本考案の授乳時の実施例を示す着用時の説明図である。
【図３】本考案の背中の汗取り時の実施例を示す着用時の説明図である。
【図４】図１の各部分を示す正面図である。
【考案を実施するための形態】
【０００９】
輪にガーゼ部分をスナップで固定し、さらにタオル部分を上から固定し、輪を腕に通す。
乳児の頭を腕に置き授乳する。背中の汗取りにはガーゼかタオルどちらか１枚にし、幼児の背中と洋服の間に入れて輪の部分を服の外に出しておく。
【実施例１】
【００１０】
図１は、すべてのパーツを授乳用に組み合わせたもの。１は腕に通す輪。２のガーゼは輪にスナップで固定。２の上から少し大きめの３のタオルをスナップで固定する。
【実施例２】
【００１１】
図２の実施例は、授乳時に大人の腕に装着した図。
【実施例３】
【００１２】
図３の実施例は、幼児の汗取りパットとして背中に装着した図。
【実施例４】
【００１３】
図４は各部分を取り外した分解図。
【符号の説明】
【００１４】
図４の１    腕に通す輪
１−a  長さを調整するための固定したボタン
１−ｂ 長さを調整するためのゴム
図４の２    ガーゼ
図４の３    タオル
２と３のC  輪にとめるためのスナップ
【図１】
0003158403.tif 000003
【図２】
0003158403.tif 000004
【図３】
0003158403.tif 000005
【図４】
0003158403.tif 000006
【手続補正書】
【提出日】平成22年1月27日(2010.1.27)
【手続補正１】
【補正対象書類名】実用新案登録請求の範囲
【補正対象項目名】請求項１
【補正方法】変更
【補正の内容】
【請求項１】
ゴムを内蔵した輪に、ガーゼとタオルそれぞれの上部に配したスナップで固定した構造を有する汗取りパット。
(57)【要約】【課題】  シート状のクリーナーによる拭き取り機能に優れるとともに、そのクリーナーの折り畳みや保管が容易になされる携帯電話機等において好適に使用されるクリーナー具を提供する。【解決手段】  シート状のクリーナー２と、一端がクリーナー２の中央部に連結される紐体３と、内部を収納部７とするとともに下部を開放部８とし上部に紐体３の挿通穴１０を備えるクリーナー２の収納体４とよりなり、紐体３がその他端側において収納体４の挿通穴１０を通して外部に引き出されることで、クリーナー２が開放部８を介して収納体４の収納部７内に折り畳み状態となって引き込まれることを特徴とするクリーナー具。【選択図】図１
0003158437.tif 000002
【実用新案登録請求の範囲】
【請求項１】
シート状のクリーナーと、一端が前記クリーナーの中央部に連結される紐体と、内部を収納部とするとともに下部を開放部とし上部に前記紐体の挿通穴を備える前記クリーナーの収納体とよりなり、
前記紐体がその他端側において前記収納体の前記挿通穴を通して外部に引き出されることで、前記クリーナーが前記開放部を介して前記収納体の前記収納部内に折り畳み状態となって引き込まれることを特徴とするクリーナー具。
【請求項２】
前記収納体が動物形態である請求項１記載のクリーナー具。
【請求項３】
前記紐帯が携帯電話機に連結使用される請求項１または２記載のクリーナー具。
【考案の詳細な説明】
【技術分野】
【０００１】  この考案は、携帯電話機の液晶画面、さらには、メガネレンズ、ＣＤ、ＤＶＤ面を拭くように用いられるクリーナー具に関する。
【背景技術】
【０００２】  例えば携帯電話機の液晶画面は汚れやすく、その表示を明瞭とするにはクリーナーによりその画面上の汚れを拭き取る。この種のクリーナーは携帯のためにはあまり大きくないことが好ましいが、拭き取り機能上はある程度の大きさを持つシート状のものが望ましい。シート状のクリーナーの場合、非使用時には折り畳んで埃の付かない状態に保管するのが望ましいが、その折り畳みには手間がかかり、また、その保管のための容れ物を別途必要とする問題がある。
【考案の概要】
【考案が解決しようとする課題】
【０００３】  この考案は上記の点に鑑みて行ったもので、シート状のクリーナーによる拭き取り機能に優れるとともに、そのクリーナーの折り畳みや保管が容易になされる携帯電話機等において好適に使用されるクリーナー具を提供する。【０００４】  この考案では、シート状のクリーナーと、一端が前記クリーナーの中央部に連結される紐体と、内部を収納部とするとともに下部を開放部とし上部に前記紐体の挿通穴を備える前記クリーナーの収納体とよりなり、前記紐体がその他端側において前記収納体の前記挿通穴を通して外部に引き出されることで、前記クリーナーが前記開放部を介して前記収納体の前記収納部内に折り畳み状態となって引き込まれることを特徴とするクリーナー具を提供する。【０００５】  上記構成のクリーナー具によれば、収納体内から取り出すことでシート状のクリーナーを使用しての汚れの拭き取りが行える。クリーナー使用後には紐体がその他端側において収納体の挿通穴を通して外部に引き出されることで、クリーナーが開放部を介して収納体の収納部内に自動的に折り畳み状態となって引き込まれるので、クリーナーの折り畳みが省略でき、また、その保管のための容れ物等も別途必要としない。とくに、クリーナーの折り畳みに手間がかからないので、折り畳みに手間のかかる大形のクリーナーの使用が可能となり、これにより良好な拭き取り機能が得られる。【０００６】  各要素の材質は適宜であってよく、収納体はその材質に対応して袋形態、ケース形態等に構成される。【０００７】  とくに、収納体が動物形態等とされることでデサイン製の高いものとなり、また、携帯電話機等に連結使用されることで便利に、かつ、楽しく用いられる。
【考案の効果】
【０００８】  この考案によれば、シート状のクリーナーによる拭き取り機能に優れるとともに、そのクリーナーの折り畳みや保管が容易になされる携帯電話機等において好適に使用されるクリーナー具が得られる。
【図面の簡単な説明】
【０００９】
【図１】  この考案のクリーナー具の外観斜視図
【図２】  この考案のクリーナー具の使用説明外観斜視図
【考案を実施するための形態】
【００１０】  図１はこの考案のクリーナー具の斜視図である。クリーナー具１は、シート状のクリーナー２と紐体３と収納体４とよりなる。
【００１１】  クリーナー２はその拡かれた形態が一片長さを１０ｃｍ程度とする略正方形で、その周囲はデザイン凹凸縁５とされている。クリーナー２としては従来品と同様のクリーナー機能を持つ各種の布材が使用される。紐体２は環状とされ、その一端が上記クリーナー２の中央部に連結されている。収納体４はその形態が動物とされ、内部をクリーナー２の収納部７とするとともに下端を開放部８としている。収納体４はプラスチックスシートや布材により袋形態に形成されている。上記紐体３は収納体４の収納部７内から上端に設けられた一対の挿通穴１０を通して外方上部に引き出されて配置されている。
【００１２】  上記クリーナー具１は、その紐体３の上端が携帯電話機に連結されて携帯電話機ストラップとして用いられ、拡かれたクリーナー２が携帯電話機の液晶画面の汚れの拭き取りに使用される。
【００１３】  クリーナー２の使用後は収納体４をクリーナー２側に引き下す。これにより相対的に紐体３が収納体４の挿通穴１０を通して上方に引き出され、これとともに、図２に示すように、その下端に連結されたクリーナー２が開放部８を介して収納体４の収納部７内に折り畳み状態となって引き込まれる。このクリーナー２が収納された状態においては、クリーナー２の一部が収納体４の開放部８からはみ出し状態に残り、次の使用に際してはそのはみ出した部分を持って収納体４を上方に移動させてクリーナー２を取り出す。
【符号の説明】
【００１４】  １    クリーナー具
２    クリーナー
３    紐体
４    収納体
８    開放部
１０  挿通穴
【図１】
0003158437.tif 000003
【図２】
0003158437.tif 000004
(57)【要約】      （修正有）【課題】子供が自分の意志で蛇口を調整しながら水の量を調整し、砂場で楽しく、自由に遊ぶ為のバケツを提供する。【解決手段】バケツの下方に蛇口を設置する。【選択図】図１
0003158434.tif 000002
【実用新案登録請求の範囲】
【請求項１】
バケツ本体に蛇口を設け、子供が砂場でバケツに水を入れて、水を自由に出せるところを特徴とする蛇口付きバケツ。
【考案の詳細な説明】
【技術分野】
【０００１】本考案は、蛇口付きを設けて、子供が自分の意志で蛇口を調整しながら水の量を調整し、砂場で楽しく、自由に遊ぶ為のバケツ。
【背景技術】
【０００２】子供が砂場でバケツに水を入れて、シャベル等で水をすくって遊んでいた。
【考案の開示】
【考案が解決しようとする課題】
【０００３】バケツから水をすくう場合、シャベル等がそのバケツの大きさに合わなく、底の水まですくうことが出来なかった。従って、バケツの底面に蛇口を設けることで水を最後まで大事に利用して遊ぶことが出来ることにより無駄を無くし、楽しく遊ぶことが出来るものである。
【課題を解決するための手段】
【０００４】バケツ下方に蛇口を設置し、蛇口から水を出す。
【考案の効果】
【０００５】上途の様に、本考案の蛇口付きバケツは、バケツに蛇口を設けたので、砂場で、水を無駄なく利用して遊ぶことが出来、子供自身が蛇口を調整しながら楽しく遊べることとして役立つ。
【考案を実施するための最良の形態】
【０００６】バケツの下方に蛇口を設置し、入れた水が全て無駄なく出し切る為に、バケツ内の底面は、斜めになった底板を設置し、バケツに入れた水が全て蛇口から出る。
【実施例】
【０００７】以下、添付図面に従って、一実施例を説明する。
１は耐久性が強いプラスチックス製の素材。
２は簡易性で、耐久性が強いプラスチックス製の蛇口。
３はバケツの底面に、斜めになった底板を設置。耐久性が強いプラスチックス製【０００８】本考案の一実施例は上途の如き構成からなるものであることから、蛇口で水の量を調整し、水を無駄なく利用しながら楽しく遊ぶことに用いることが出来る。【０００９】
【図面の簡単な説明】
【００１０】
【図１】本考案の蛇口付きバケツの一実施例を示す正面図である。バケツの中の水を蛇口から出す為の図面である。
【符号の説明】
【００１１】１、プラスチックス製のバケツ
２、簡易性のプラスチックス製のバケツ
３、底板は傾斜をつけて底に敷く
【図１】
0003158434.tif 000003